(57)【要約】      （修正有）【課題】ペットの肘への負担を軽減させるペット用シャツなどに使用可能な保護パッドを提供する。【解決手段】ハニカム構造の立体編み物で製作された保護パッドであって、当該保護パッドの一の面は、紡糸繊維が亀甲編み目状に編成されることを特徴とする。前足用の袖を備えたペット用シャツであって、前記袖の、当該ペット用シャツを着用したペットの肘が当たる部分に肘保護パッドが装着される。【選択図】図２
0003161385.tif 000002
【実用新案登録請求の範囲】
【請求項１】
ハニカム構造の立体編み物で製作された保護パッドであって、
当該保護パッドの一の面は、紡糸繊維が亀甲編み目状に編成されることを特徴とする保護パッド。
【請求項２】
請求項１に記載の保護パッド２つを貼り合わせて製作される保護パッドであって、
当該保護パッドの両面は、紡糸繊維が亀甲編み目状に編成されることを特徴とする保護パッド。
【請求項３】
前記ハニカム構造の立体編み物は、クッション性及び通気性に優れた構造を有することを特徴とする請求項１又は２に記載の保護パッド。
【請求項４】
ペット介護の用途で使用されることを特徴とする請求項１乃至３の何れか一に記載の保護パッド。
【考案の詳細な説明】
【技術分野】
【０００１】
本考案は、ペット用シャツの肘部分などに使用可能な保護パッドに関するものである。
【背景技術】
【０００２】
最近、ペットの間でも高齢化が進み、若い間は見られなかったような症状を抱えるペットが増えている。
【考案の概要】
【考案が解決しようとする課題】
【０００３】
特に大型犬は、体が大きくその体重が重いため、就寝中や寝た姿勢から起き上がる際、肘に負担が掛かり易い。
そこで、本考案は、上記問題点に鑑み、ペットの肘への負担を軽減させるペット用シャツなどに使用可能な保護パッドを提供することを目的とする。
【課題を解決するための手段】
【０００４】
開示するペット用シャツの一形態は、前足用の袖を備えたペット用シャツであって、前記袖の、当該ペット用シャツを着用したペットの肘が当たる部分に、ハニカム構造の立体編み物で製作された肘保護パッドが装着されることを特徴とする。
また、開示するペット用シャツの一形態において、前記肘保護パッドは、前記袖の内側に装着されることを特徴とする。
【０００５】
開示する保護パッドの一形態は、ハニカム構造の立体編み物で製作された保護パッドであって、当該保護パッドの一の面は、紡糸繊維が亀甲編み目状に編成されることを特徴とする。
【０００６】
開示する保護パッドの他形態は、上記保護パッド２つを貼り合わせて製作される保護パッドであって、当該保護パッドの両面は、紡糸繊維が亀甲編み目状に編成されることを特徴とする。
【考案の効果】
【０００７】
開示の保護パッドは、ペットなどの介護用品として使用することができる。
【図面の簡単な説明】
【０００８】
【図１】本実施の形態に係るペット用シャツをペットに着用させた図である。
【図２】本実施の形態に係る保護パッドの全体図である。
【図３】本実施の形態に係る保護パッドの詳細説明図である。
【図４】本実施の形態に係る裏返しにしたペット用シャツの横側面図である。
【図５】本実施の形態に係るペット用シャツの下側面図である。
【図６】本実施の形態に係るペット用シャツの上側面図である。
【考案を実施するための形態】
【０００９】
以下では、図１乃至図６を用いて、本実施の形態に係るペット用シャツ１について説明する。図１は、ペット用シャツ１をペット３に着用させた図である。図１で示すように、ペット用シャツ１はラグランスリーブを備えるペット用シャツであり、当該ラグランスリーブにペット３の前足を挿入し、ペット用シャツ１をペット３に着用させる。また、図１で示すようにペット用シャツ１は、袖の付け根付近に保護パッド２が装着されており、ペット３が様々な姿勢を取ってもペット３の肘の位置に保護パッド２が適切に当たるようになっている。
【００１０】
図２は、保護パッド２の一例の全体図である。保護パッド２は、ハニカム構造の立体編み物であり、表面は紡糸繊維が亀甲編み目状に編成され、コットン仕上げがされている。保護パッド２は、カビや細菌を発生させ難く清潔であり、クッション性、通気性に優れた構造を有する。
【００１１】
図３（ａ）は、保護パッド２の表面拡大図であり、図３（ｂ）は、保護パッド２の断面図である。図３（ａ）で示すように保護パッド２は、ナイロンなどの紡糸繊維を基本的に鎖編みしながら、それを亀甲編み目状に編成して保護パッド２の表面２１に配置している。また、図３（ｂ）で示すように保護パッド２の表面２１と裏面２３との間は、ナイロンなどの延伸繊維２２を弓なり状にして編むように繋がれている。なお、保護パッド２は、一層だけになっているが、２つの保護パッド２の裏面どうしを張り合わせて二層重ねにすることも可能である。
【００１２】
保護パッド２は、上記とは別の用途でも使用できる。例えば、保護パッド２は、ペット用シャツ１に装着するだけでなく、床とペット３との間に敷いて使用しても良い。また、保護パッド２は、ペット３の患部に合わせるように、保護パッド２の真中をくり抜いて使用することにより、床ズレや手術後の患部などを床に密着させないようにすることができる。さらに、保護パッド２は、ペットの介護用品と組み合わせて使用することにより、当該介護用品がペット３に食い込むことを防止する。また、保護パッド２は、枕としても使用することができる。
【００１３】
図４は、裏返しにしたペット用シャツ１の横側面を示す図である。ペット用シャツ１は、背面側が長くなっており、ペット用シャツ１を着用するペット３の背中全体を覆うことが可能な形状となっている。一方、図４で示すように保護パッド２は、ペット用シャツ１の袖の付け根付近に装着される。つまり、保護パッド２は、ペット用シャツ１を着用したペット３の肘を覆う位置（肘に当たる位置）に装着される。また保護パット２は、袖の内側又は外側のどちらに装着されても良い。
【００１４】
図５は、ペット用シャツ１の下側面を示す図である。ペット用シャツ１は、背面側が長くなっており、ペット用シャツ１を着用するペット３の背中全体を覆うことが可能な形状となっている。また、ペット用シャツ１の腹部部分にはゴム紐が装着され、ペット３の腹部にペット用シャツ１がフィットするようになっている。
【００１５】
図６は、ペット用シャツ１の上側面を示す図である。ペット用シャツ１は、ペット用シャツ１を着用するペット３の背中全体を覆うように形成されている。なお、本実施の形態における保護パッド２は、ペット用シャツ１の袖の内側に装着されているため、図５及び図６では図示されていないが、保護パッド２は袖の外側に装着されても良い。
【００１６】
次に、ペット用シャツ１の使用方法について説明する。ペット用シャツ１をペット３に着用させると、保護パッド２がペット３の肘部分を覆い保護する。そのため、ペット用シャツ１は、ペット３の肘への負担を軽減させることができる。また、保護パッド２は、ペット３の肘部分にできた床ズレやタコを通気性の良い空気の層で優しく包みながら接地面を減らし、ドライな状態を保つことができるため、症状の改善が期待できる。
【００１７】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１８】
１    ペット用シャツ
２    保護パッド
３    ペット
２１  保護パッド表面
２２  ナイロン延伸繊維
２３  保護パッド裏面
【図１】
0003161385.tif 000003
【図２】
0003161385.tif 000004
【図３】
0003161385.tif 000005
【図４】
0003161385.tif 000006
【図５】
0003161385.tif 000007
【図６】
0003161385.tif 000008